(57)【要約】      （修正有）【課題】ジョイスティック装置の検出機構から離れた別側にマウスを位置決めし、マウスを移動させる時にジョイスティック装置を駆動してベース上で対応する方向に移動させられるようにした、操作モジュールの提供。【解決手段】ベース、ジョイスティック装置及びマウスで組成され、ジョイスティック装置は一側に検出機構を具え、且つジョイスティック装置はベースの貫通孔に挿通され、ジョイスティック装置の検出機構がベースの収容空間内に収容され、該マウスはジョイスティック装置の検出機構から離れた別側に位置決めされ、且つマウスの底面に光学発射素子が設けられ、マウスを移動する時にジョイスティック装置が駆動されてベース上で対応する方向に移動し、別に使用者の必要によりマウスを取り外して卓上で単独使用することができる。【選択図】図２
0003101772.tif 000002
【実用新案登録請求の範囲】
【請求項１】
ベース、ジョイスティック装置、及びマウスで組成され、
該ベースに収容空間が設けられ、該ベースの上縁に収容空間と連通する貫通孔が設けられ、
該ジョイスティック装置は一側に検出機構を具え、該ジョイスティック装置の検出機構がベースの収容空間内に収容され、
該マウスはジョイスティック装置の検出機構より離れた別側端面に位置決めされ、マウスを移動させる時、ジョイスティック装置が駆動されてベース上で対応する方向に移動することを特徴とする、操作モジュール。
【請求項２】
請求項１記載の操作モジュールにおいて、マウスの底面に光学発射素子が設けられたことを特徴とする、操作モジュール。
【請求項３】
請求項１記載の操作モジュールにおいて、ジョイスティック装置の検出機構より離れた別側に複数の係合部が設けられ、マウスの底面に複数の係止溝が設けられ、マウスの係止溝がジョイスティック装置の係合部内に分離可能に係合されることを特徴とする、操作モジュール。
【請求項４】
請求項１記載の操作モジュールにおいて、ジョイスティック装置とマウスが一体成形により形成されたことを特徴とする、操作モジュール。
【考案の詳細な説明】
【技術分野】
【０００１】
本考案は一種の操作モジュールに係り、特にジョイスティック装置にマウスが位置決めされ、マウスを移動させる時、ジョイスティック装置が駆動されてベース上で対応する方向に移動する、操作モジュールに関する。
【背景技術】
【０００２】
現在コンピュータ用の操作モジュールの種類は非常に多く、マウス、トラックボール、タブレット或いはジョイスティック等がある。しかし、コンピュータテクノロジーの日々の進歩により操作モジュールは有線式から次第に無線送受信方式へと変化し、並びにゲームソフト及びネットワークテクノロジーの流行により、使用者はマウスとジョイスティックの操作上の快適性と便利性を更に重視するようになった。上述のマウスとジョイスティックを使用する時は、いずれも単一の操作方式しかなく、操作上、両者を使用する必要がある時は、マウスとジョイスティックとを購入しなければ二種類の異なる特性を生かした適切で快適な運用が行なえない。さらに、一般にマウスは未使用時には卓上に放置され、特別な収納装置はなく、またマウスとジョイスティックの二種類の操作モジュールを購入すると大幅に使用者の費用負担と卓上の占用空間が増す。さらに、一般に市販されているゲームソフトは非常に多様化しており、ゲームソフトには面白さを高めるために操作設計上、ジョイスティックの組合せが必要なものが多いが、一部のゲームソフトはマウスを主要な操作モジュールとして使用している。ゆえに、マウスとジョイスティックの機能を共に具備し、並びに各種の異なるタイプのゲームソフトの操作を行なう操作モジュールがあれば、その付加価値は大幅に高まる。
【０００３】
また、一般に使用者が最も経常的に使用する操作モジュールはマウスであり、マウスの操作平面及びボタンは比較的大きい。一方、現在市販されているシューティングゲームソフトは非常に多く、このようなゲームソフトはフライング制御とシューティング操作の二つの部分に同時に注意しなければならず、もし使用者がマウスを直接ジョイスティック上端の操作エリアに結合させれば、特定のゲームソフトの異なる需要に対応し、また、周知のジョイスティック操作に慣れない使用者の操作の問題も解決でき、特定のゲームソフト及び特定の人の操作習慣に適合する。
【考案の開示】
【考案が解決しようとする課題】
【０００４】
本考案の主要な目的は、ジョイスティック装置の一側に検出機構を設け、且つジョイスティック装置をベースの貫通孔に挿通し、ジョイスティック装置の検出機構をベースの収容空間内に収容し、ジョイスティック装置の検出機構から離れた別側にマウスを位置決めし、マウスを移動させる時にジョイスティック装置を駆動してベース上で対応する方向に移動させられるようにすることにある。
【０００５】
本考案のもう一つの目的は、ジョイスティック装置の検出機構から離れた別側に複数の係合部を設け、マウスの底面に複数の係止溝を設け、且つマウスの底面の係止溝を着脱自在にジョイスティック装置の係合部内に係合させられるようにし、これにより使用者の要求の違いにより、随時マウスを取り外して卓上で使用できるようにすることにある。
【課題を解決するための手段】
【０００６】
請求項１の考案は、ベース、ジョイスティック装置、及びマウスで組成され、
該ベースに収容空間が設けられ、該ベースの上縁に収容空間と連通する貫通孔が設けられ、
該ジョイスティック装置は一側に検出機構を具え、該ジョイスティック装置の検出機構がベースの収容空間内に収容され、
該マウスはジョイスティック装置の検出機構より離れた別側端面に位置決めされ、マウスを移動させる時、ジョイスティック装置が駆動されてベース上で対応する方向に移動することを特徴とする、操作モジュールとしている。
請求項２の考案は、請求項１記載の操作モジュールにおいて、マウスの底面に光学発射素子が設けられたことを特徴とする、操作モジュールとしている。
請求項３の考案は、請求項１記載の操作モジュールにおいて、ジョイスティック装置の検出機構より離れた別側に複数の係合部が設けられ、マウスの底面に複数の係止溝が設けられ、マウスの係止溝がジョイスティック装置の係合部内に分離可能に係合されることを特徴とする、操作モジュールとしている。
請求項４の考案は、請求項１記載の操作モジュールにおいて、ジョイスティック装置とマウスが一体成形により形成されたことを特徴とする、操作モジュールとしている。
【考案の効果】
【０００７】
本考案の操作モジュールは、ベース、ジョイスティック装置及びマウスで組成され、ジョイスティック装置は一側に検出機構を具え、且つジョイスティック装置はベースの貫通孔に挿通され、ジョイスティック装置の検出機構がベースの収容空間内に収容され、該マウスはジョイスティック装置の検出機構から離れた別側に位置決めされ、且つマウスの底面に光学発射素子が設けられ、マウスを移動する時にジョイスティック装置が駆動されてベース上で対応する方向に移動し、別に使用者の必要によりマウスを取り外して卓上で単独使用することができる。
【考案を実施するための最良の形態】
【０００８】
図１、２、３はそれぞれ本考案の斜視図、分解斜視図、及び側面断面図である。これらの図に示されるように、本考案はベース１、ジョイスティック装置２、及びマウス３で組成されている。
【０００９】
該ベース１に収容空間１１が設けられ、並びにベース１の上縁に収容空間１１と連通する貫通孔１２が設けられ、該ベース１の貫通孔１２より離れた一側が底蓋１３で被覆されている。
【００１０】
該ジョイスティック装置２は一側に検出機構２１を具え、並びに該検出機構２１より離れた別側に複数の係合部２２が設けられ、該ジョイスティック装置２の外縁が保護カバー２３で被覆されている。
【００１１】
該マウス３は平坦な底面３１を具え、並びに底面３１に光学発射素子３１１及び複数の係止溝３１２が設けられている。
【００１２】
以上の部品が組み立てられる時、ジョイスティック装置２の係合部２２がベース１の貫通孔１２を貫通し、ジョイスティック装置２の検出機構２１がベース１の収容空間１１内に収容される。この時、ジョイスティック装置２の係合部２２がベース１の外側に位置し、続いて上述のマウス３が底面３１に設けられた係止溝３１２によりジョイスティック装置２の係合部２２に係合され、こうして本考案の全体の組立が完成する。
【００１３】
図４、５は本考案の側面断面動作図である。図示されるように、本考案は、上述の部品により組立が完成した後に、使用者がマウス３を握持して所定の方向に移動させることができる。このとき、マウス３はジョイスティック装置２を駆動しベース１上で対応する方向に移動させ、並びにジョイスティック装置２の検出機構２１がジョイスティック装置２の偏移距離を検出し、これによりコンピュータスクリーン上に対応する動作を発生させる。さらに本考案は使用者の必要に応じて、マウス３をジョイスティック装置２の係合部２２より取り外して単独で使用できる。
【００１４】
さらに、上述のジョイスティック装置２とマウス３の製造過程で、一体成形の方式で製造することも可能で、且つマウス３は有線或いは無線の光学形式とされうる。
【００１５】
ゆえに本考案の操作モジュールは周知の操作モジュールと較べて以下のような技術的な改善を達成している。
１．マウス３はジョイスティック装置２の検出機構２１から離れた別側に位置決めされ、マウス３を移動させる時に、ジョイスティック装置２が駆動されてベース１上で対応する方向に移動する。
２．本考案のマウス３は底面に係止溝３１２が設けられ、且つ係止溝３１２がジョイスティック装置２の係合部２２内に係合可能とされ、これによりマウス３が使用者の必要に応じて随意に取り外して卓上で単独使用可能とされている。
【００１６】
総合すると、本考案の操作モジュールは使用時に確実にその機能と目的を達成し、ゆえに本考案は実用性に優れた考案である。
【図面の簡単な説明】
【００１７】
【図１】本考案の斜視図である。
【図２】本考案の分解斜視図である。
【図３】本考案の側面断面図である。
【図４】本考案の側面断面動作図である。
【図５】本考案の側面断面動作図である。
【符号の説明】
【００１８】
１  ベース
１１  収容空間              １３  底蓋
１２  貫通孔
２  ジョイスティック装置
２１  検出機構              ２３  保護カバー
２２  係合部
３  マウス
３１  底面                  ３１２  係止溝
３１１  光学発射素子
【図１】
0003101772.tif 000003
【図２】
0003101772.tif 000004
【図３】
0003101772.tif 000005
【図４】
0003101772.tif 000006
【図５】
0003101772.tif 000007